【事件の表示】
　特願２００６−３４３４３８「画像関連情報表示システム」拒絶査定不服審判事件〔平成２０年　７月１０日出願公開、特開２００８−１５８５８３〕について、次のとおり審決する。
【結　論】
　本件審判の請求は、成り立たない。
【理　由】
 　 
第１　手続の経緯  
　本願は、平成１８年１２月２０日の出願であって、平成２３年５月２３日付けの拒絶理由通知に対して平成２３年７月２９日付けで手続補正がなされたが、平成２４年３月１日付けで拒絶査定がなされ、これに対し、同年５月２２日付けで拒絶査定不服審判が請求されたものである。  
　  
　  
第２　本願発明　  
　  
１　本願発明  
　  
　本願の請求項１ないし５に係る発明は、平成２３年７月２９日付け手続補正により補正された特許請求の範囲の請求項１ないし５に記載された事項により特定されるとおりのものと認められるところ、その請求項２に係る発明（以下「本願発明」という。）は次のとおりである。  
　  
「【請求項２】
　現在位置を取得する現在位置検出部と、三次元姿勢と撮影方角とを検出する三次元姿勢方角検出部と、画像を撮影する画像撮影部と、通信部と、を有する移動端末装置であって、
　前記画像撮影部により撮影した画像を背景とし、前記現在位置と前記三次元姿勢と撮影方角とに基づいて、画像に対応し地物と関連する地物関連情報を取得し、前記撮影画像と前記地物関連情報とを表示部に重畳表示する表示制御部と、を有することを特徴とする移動端末装置。」
　  
２　引用例及びその記載事項  
　  
（１）原査定の拒絶の理由に引用され、本願の出願日前に頒布された刊行物である特開２００６−２９５８２７号公報（平成１８年１０月２６日公開、以下「引用例」という。）には、図面とともに以下の事項が記載されている（なお、下線は当審で付した。）。  
　  
ａ「【０００１】
  
本発明は、
携帯端末装置に関する。
　 
ｂ「【０００９】
 
 以下、本発明の一実施の形態を、
  
本例においては、撮影部を内蔵した携帯電話端末装置を使用したシステム構成としたものである。
【００１０】
  図１は、本例のシステム構成例を示した図である。まず、携帯電話端末装置の構成について説明すると、
携帯電話端末装置１００は、通信部１０９を備えて、
【００１１】
  そして、
携帯電話端末装置１００は静止画
を撮影する手段として、カメラ部１０４が内蔵され、
撮影が行われる。また、携帯電話端末装置１００の現状を検出する手段として、各種センサが取り付けてある。即ち、方位センサ１０１と測位部１０２と傾斜センサ１０３とを内蔵させてあ
る。
【００１２】
 
 方位センサ１０１は、カメラ部１０４が撮影する方位を検出するセンサである。測位部１０２は、ＧＰＳ（Global Positioning System）などの測位システムを利用して、端末装置１００の絶対的な位置を検出するものである。傾斜センサ１０３は、端末装置１００の傾斜を検出するセンサである。
【００１３】
  測位部１０２で測位された現在位置のデータや撮影した画像の視野角のデータは、通信部１０９による無線通信で、ホストコンピュータ装置２００に接続させて送るようにしてある。この接続としては、例えばホストコンピュータ装置２００をインターネット上の所定アドレスに用意して、端末装置１００を、無線電話回線を経由してインターネットに接続して、データ交換できるように接続されるようにしてある。
【００１４】
  ホストコンピュータ装置２００は、空間情報検索部２０１と現状情報検索部２０２と、三次元空間データベース２０３とを備える。三次元空間データベース２０３は、三次元の地図データを備えて、その三次元地図データ上の各座標位置での代表となる目標物の名称のデータなどをデータベースとして記憶させてある。そして、端末装置１００から送られた現在位置のデータを使用して、その現在位置の周囲に存在する目標物のデータを、空間情報検索部２０１で検索するようにしてある。また、現状情報検索部２０２が、位置データと視野角のデータとを使用して、その視野角内に存在する物体などの現状の情報を取得するようにしてある。この現状の情報は、所定のネットワーク網３００を介して、リアルタイム情報管理システム４００に、撮影位置のデータと視野角のデータなどを送って得るようにしてある。現状情報の例については後述する。リアルタイム情報管理システム４００は、１つであるとは限らず、例えば情報の種類ごとにことなる管理システムを使用してもよい。例えば、天気情報を管理するシステム、飛行物体を管理するシステム、天体現象を管理するシステム、詳細情報が得られるホームページアドレスを管理（検索）するシステムなどの、様々なシステムが想定される。
【００１５】
  図２は、端末装置１００が備えるカメラ１０４が撮影する画角の検出例を示した図である。本例の
端末装置１００は、
方位センサ１０１と傾斜センサ１０３とを備えているために、カメラ１０４が撮影する画角が向いている方位角を検出できる構成としてある。即ち、端末装置１００のカメラ１０４が撮影する中心の光軸１１３の方位角ω及び仰角ζを、これらのセンサ１０１，１０３の出力から検出する。そして、カメラ１０４に取り付けられた撮影用レンズの画角から、
仮想撮影面１１０を得る。ここで、端末装置１００には、測位部１０２が備えられているので、現在位置が判るので、その現在位置での仮想撮影面１１０を特定することができる。
【００１６】
  
そして、仮想撮影面１１０を特定することで、
仮想撮影面１１０に存在する代表物のデータを端末装置１００内で得るとともに、時間の経過で変化する物についてのデータをホストコンピュータ装置２００から得る
　  
ｃ「【００２１】
  
端末装置１００では、
現状情報を含んだ代表物を文字や図形などで案内する情報を、撮影画像に重畳させ、その情報が重畳された画像を表示部１０８に表示させる
　                                               　
ｄ「【００２４】
  
これらの情報を用いて、本例においては撮影画像を表示する際に、案内表示を行うようにしたものである。図５は、案内表示を行う画像の例である。この例では、画像中の代表となる被写体について、名称などと現状を表示させるようにしてある。
　
　
ア　上記ａの「【０００１】本発明は、‥‥‥携帯端末装置に関する。」との記載、上記ｂの「【０００９】以下、本発明の一実施の形態を、‥‥‥説明する。本例においては、撮影部を内蔵した携帯電話端末装置を使用したシステム構成としたものである。」との記載から、引用例には、「携帯電話端末装置」が記載されているということができる。
　  
イ　上記ｂの「【００１０】‥‥‥携帯電話端末装置１００は、通信部１０９を備えて、‥‥‥【００１１】‥‥‥携帯電話端末装置１００は静止画‥‥‥を撮影する手段として、カメラ部１０４が内蔵され、‥‥‥撮影が行われる。また、携帯電話端末装置１００の現状を検出する手段として、各種センサが取り付けてある。即ち、方位センサ１０１と測位部１０２と傾斜センサ１０３とを内蔵させてあ‥‥‥る。」との記載から、引用例には、「通信部１０９、静止画を撮影する手段であるカメラ部１０４、方位センサ１０１、測位部１０２、及び傾斜センサ１０３が内蔵されている携帯電話端末装置１００」が記載されているということができる。
　 ここで、方位センサ１０１、測位部１０２及び傾斜センサ１０３については、上記ｂの「【００１２】方位センサ１０１は、カメラ部１０４が撮影する方位を検出するセンサである。測位部１０２は、ＧＰＳ（Global Positioning System）などの測位システムを利用して、端末装置１００の絶対的な位置を検出するものである。傾斜センサ１０３は、端末装置１００の傾斜を検出するセンサである。‥‥‥」との記載から、それぞれ、「カメラ部１０４が撮影する方位を検出する方位センサ１０１」、「端末装置１００の絶対的な位置を検出する測位部１０２」、「端末装置１００の傾斜を検出する傾斜センサ１０３」ということができ、また、「端末装置１００」は、「携帯電話端末装置１００」ということができる。
　したがって、引用例には、「通信部、静止画を撮影する手段であるカメラ部、カメラ部が撮影する方位を検出する方位センサ、携帯電話端末装置の絶対的な位置を検出する測位部、及び携帯電話端末装置の傾斜を検出する傾斜センサが内蔵されている携帯電話端末装置」が記載されているということができる。
　
ウ　上記ｃの「【００２１】端末装置１００では、‥‥‥現状情報を含んだ代表物を文字や図形などで案内する情報を、撮影画像に重畳させ、その情報が重畳された画像を表示部１０８に表示させる」との記載、及び上記ｄの「【００２４】これらの情報を用いて、本例においては撮影画像を表示する際に、案内表示を行うようにしたものである。図５は、案内表示を行う画像の例である。この例では、画像中の代表となる被写体について、名称などと現状を表示させるようにしてある。‥‥‥」との記載において、代表物を案内する情報（【００２１】）は、具体的には代表となる被写体の名称などとしている（【００２４】）ことから、端末装置１００は、撮影画像に、画像中の被写体についての名称などと現状情報を重畳表示するものである。
　したがって、引用例に記載の「端末装置１００」、すなわち「携帯電話端末装置１００」は、「撮影画像に、画像中の被写体について、名称などと現状情報を重畳表示する」ものであるということができる。
　 
エ　上記ｂの「【００１５】‥‥‥端末装置１００は、‥‥‥方位センサ１０１と傾斜センサ１０３とを備えているために、カメラ１０４が撮影する画角が向いている方位角を検出できる構成としてある。即ち、端末装置１００のカメラ１０４が撮影する中心の光軸１１３の方位角ω及び仰角ζを、これらのセンサ１０１，１０３の出力から検出する。そして、カメラ１０４に取り付けられた撮影用レンズの画角から、‥‥‥仮想撮影面１１０を得る。ここで、端末装置１００には、測位部１０２が備えられているので、現在位置が判るので、その現在位置での仮想撮影面１１０を特定することができる。」との記載において、現在位置は測位部１０２から得るものであるから、引用例に記載の「端末装置１００」、すなわち「携帯電話端末装置１００」は、「方位センサ１０１から検出された方位角ωと、傾斜センサ１０３から検出された仰角ζ、及び測位部１０２から得られた現在位置とから、その現在位置での仮想撮影面１１０を特定する」ものということができる。
　
オ　上記ｂの「【００１６】そして、仮想撮影面１１０を特定することで、‥‥‥仮想撮影面１１０に存在する代表物のデータを端末装置１００内で得るとともに、時間の経過で変化する物についてのデータをホストコンピュータ装置２００から得る」との記載において、上記ｃの「【００２１】端末装置１００では、‥‥‥現状情報を含んだ代表物を文字や図形などで案内する情報を、撮影画像に重畳させ、その情報が重畳された画像を表示部１０８に表示させる」との記載、上記ｄの「【００２４】‥‥‥図５は、案内表示を行う画像の例である。この例では、画像中の代表となる被写体について、名称などと現状を表示させるようにしてある。‥‥‥」との記載から、「代表物のデータ」（【００１６】）は、代表物を案内する情報であって（【００２１】）、具体的には代表となる被写体の名称などとしている（【００２４】）ことから、「名称など」ということができ、また、「時間の経過で変化する物についてのデータ」（【００１６】）は、「現状情報」ということができるから、引用例の「端末装置１００」、すなわち「携帯電話端末装置１００」は、「仮想撮影面を特定することにより、仮想撮影面に存在する被写体の名称などと現状情報を得る」ものということができる。
　
　上記引用例に記載された事項、図面の記載、及び上記アないしオを総合すると、引用例には、次の発明が記載されている（以下「引用発明」という。）。  
　
　「通信部、静止画を撮影する手段であるカメラ部、カメラ部が撮影する方位を検出する方位センサ、携帯電話端末装置の絶対的な位置を検出する測位部、及び携帯電話端末装置の傾斜を検出する傾斜センサが内蔵されている携帯電話端末装置であって、
　方位センサから検出された方位角と、傾斜センサから検出された仰角、及び測位部から得られた現在位置とから、その現在位置での仮想撮影面を特定し、
　仮想撮影面を特定することにより、仮想撮影面に存在する被写体の名称などと現状情報を得て、
　撮影画像に、画像中の被写体について、名称などと現状情報を重畳表示する、
　携帯電話端末装置。」
　
　
３　対比  
　本願発明と引用発明とを対比する。
　
（Ａ）引用発明の「携帯電話端末装置」、「通信部」、「静止画を撮影する手段であるカメラ部」は、それぞれ、本願発明の「移動端末装置」、「通信部」、「画像を撮影する画像撮影部」に相当する。
　
（Ｂ）引用発明の「カメラ部が撮影する方位を検出する方位センサ」は、撮影方角を検出するものということができ、引用発明の「携帯電話端末装置の傾斜を検出する傾斜センサ」は、「傾斜センサから」「仰角」を検出するものであるから、三次元姿勢を検出するものと捉えることができる。
　したがって、「方位センサ」及び「傾斜センサ」は、本願発明の「三次元姿勢と撮影方角とを検出する三次元姿勢方角検出部」に相当する。
　
（Ｃ）引用発明は、「測位部から得られた現在位置とから、その現在位置での仮想撮影面を特定」するものであるから、「携帯電話端末装置の絶対的な位置を検出する測位部」は現在位置の検出に用いられるものであって、本願発明の「現在位置を取得する現在位置検出部」に相当する。
　
（Ｄ）引用発明は「方位センサから検出された方位角と、傾斜センサから検出された仰角、及び測位部から得られた現在位置とから、その現在位置での仮想撮影面を特定」するものであって、「傾斜センサ」は、三次元姿勢を検出するものと捉えることができるから（上記（Ｂ））、引用発明は、現在位置と三次元姿勢と撮影方角とに基づいて、仮想撮影面を特定するものということができる。
　そして、現在位置と三次元姿勢と撮影方角とに基づいて、仮想撮影面を特定し、「仮想撮影面を特定することにより、仮想撮影面に存在する被写体の名称などと現状情報を得」ることから、現在位置と三次元姿勢と撮影方角とに基づいて、仮想撮影面に存在する被写体の名称などと現状情報を得るものということができ、ここで、引用発明の「仮想撮影面に存在する被写体の名称などと現状情報を得」ことは、本願発明の「画像に対応し地物と関連する地物関連情報を取得」するものということができる。
　したがって、引用発明の「方位センサから検出された方位角と、傾斜センサから検出された仰角、及び測位部から得られた現在位置とから、その現在位置での仮想撮影面を特定し、仮想撮影面を特定することにより、仮想撮影面に存在する被写体の名称などと現状情報を得」ることは、本願発明の「前記現在位置と前記三次元姿勢と撮影方角とに基づいて、画像に対応し地物と関連する地物関連情報を取得」する点で一致する。
　
（Ｅ）引用発明の「撮影画像に、画像中の被写体について、名称などと現状情報を重畳表示する」ことにおいて、重畳表示するために、表示制御部を設けることは常套手段であるから、引用発明と本願発明とは、「前記撮影画像と前記地物関連情報とを表示部に重畳表示する表示制御部と、を有する」点で一致する。
　
　
　すると、本願発明と引用発明とは、次の＜一致点＞及び＜相違点＞を有する。  
　  
＜一致点＞  
　「現在位置を取得する現在位置検出部と、三次元姿勢と撮影方角とを検出する三次元姿勢方角検出部と、画像を撮影する画像撮影部と、通信部と、を有する移動端末装置であって、
　前記現在位置と前記三次元姿勢と撮影方角とに基づいて、画像に対応し地物と関連する地物関連情報を取得し、前記撮影画像と前記地物関連情報とを表示部に重畳表示する表示制御部と、を有する移動端末装置。」
　
＜相違点＞  
　本願発明が、「前記画像撮影部により撮影した画像を背景と」するものであるのに対し、引用発明は、このような特定がない点。
　
　
４　判断  
　  
＜相違点＞について  
　一般に、重畳表示において、撮影した画像を背景画像とすることは、周知慣用手段であるから（例えば、特開２００６−５９２９２号公報（図７には重畳表示において、画像を背景として情報を表示することが示されている。））、引用発明において、重畳表示するにあたり、前記画像撮影部により撮影した画像を背景とすることに格別の困難性を有しない。
　
　よって、本願発明の＜相違点＞に係る構成のようにすることは格別なことではない。
　
　そして、上記相違点を総合的に判断しても、本願発明が奏する効果は引用発明及び周知な事項から当業者が十分に予測できたものであって格別なものとはいえない。  
　  
　よって、本願発明は、引用発明及び周知な事項に基づいて、当業者が容易に発明をすることができたものである。  
　  
　  
５　むすび  
　以上のとおり、本願発明は、特許法第２９条第２項の規定により特許を受けることができないものであるから、その余の請求項に論及するまでもなく、本願は拒絶すべきものである。  
　  
　よって、結論のとおり審決する。